(57)【要約】【課題】  編目形成時の度決めやノックオーバーを高精度に行うことができ、編目の付け上がりも抑止することが可能な、横編機のシンカー装置を提供する。【解決手段】  固定シンカー１０で天歯１１となる線材を支持し、度決め部１０ｂも設けるので、編目形成時の度決めやノックオーバーを高精度に行うことができる。可動シンカー１２は、作用状態と不作用状態とを切換えることができる。可動シンカー１２の作用状態で、先端部１２ａを、天歯１１の歯口中心３ａ側に進出させるので、編目６の付け上がりを抑止することが可能となる。固定シンカー１０の突起部１０ｃは、対向する針床２からの付け上がりを抑えることができる。可動シンカー１２にも突起部１２ｂを設け、作用状態では、固定シンカー１０の突起部１０ｃよりも歯口中心３ａ寄りの天歯１１側で、対向する針床２からの編目６の付け上がりを抑えることができる。【選択図】図１
2013139644.tif 000002
【特許請求の範囲】
【請求項１】
一対の針床が歯口を挟んで対向し、歯口から離れると低く傾斜している状態で、各針床に並設される針溝に収容される編針の歯口側先端に設けるフックを歯口に進退させて編目を編成する際に、編針間でシンカーループを形成する横編機のシンカー装置において、
歯口に臨む先端付近に天歯となる線材の支持孔が設けられ、歯口中心側の先端に編目編成時にシンカーループが掛かる度決め部が設けられる固定シンカーと、
固定シンカーと隣接して設けられ、編針のフックを歯口に進出させる際に、フック内に係止されている編目がフックとともに歯口に進出する付け上がりを抑える先端部を有し、先端部を天歯の歯口中心側に進出させる作用状態、および先端部を天歯の歯口中心側から退出させる不作用状態が切換え可能な可動シンカーとを含み、
可動シンカーは、編目を係止するフックを歯口に進出させて、フック内から針幹側に編目をクリアさせる際には作用状態となり、歯口に進出したフックへ給糸してフックを歯口から退出させて新たな編目を形成する際には不作用状態となるように制御され、
固定シンカーまたは可動シンカーのうちの少なくとも一方は、対向する針床から歯口に進出する編針のフックとともに付け上がろうとする編目を抑える突起部を有する、
ことを特徴とする横編機のシンカー装置。
【請求項２】
前記固定シンカーには、前記度決め部の上部から、歯口中心側に突出するように、前記突起部が設けられている、
ことを特徴とする請求項１記載の横編機のシンカー装置。
【請求項３】
前記可動シンカーには、前記作用状態で、前記先端部の上部から、歯口中心側に突出するように、前記突起部が設けられている、
ことを特徴とする請求項１記載の横編機のシンカー装置。
【請求項４】
前記固定シンカーには、前記度決め部の上部から、歯口中心側に突出するように、前記突起部が設けられ、かつ
前記可動シンカーには、前記作用状態で、前記先端部の上部から、歯口中心側に突出するように、前記突起部が設けられている、
ことを特徴とする請求項１記載の横編機のシンカー装置。
【請求項５】
前記可動シンカーの突起部は、前記作用状態で、前記固定シンカーの突起部よりも、天歯側に位置する、
ことを特徴とする請求項４記載の横編機のシンカー装置。
【発明の詳細な説明】
【技術分野】
【０００１】
本発明は、歯口を挟んで対向する一対の針床を備える横編機で、針床の歯口側先端に設けられる横編機のシンカー装置に関する。
【背景技術】
【０００２】
従来から、歯口を挟む前後に一対の針床を備える横編機には、針床の歯口側先端に、シンカーが設けられる。シンカーは、歯口に進出してフックに給糸された編針を針床に引込む際に、フックで形成するニードルループとともにシンカーループを形成するという編成としての基本的な機能を有する。シンカーとしては、固定式のもの（たとえば、特許文献１参照）や可動式のもの（たとえば、特許文献２参照）が用いられている。
【０００３】
固定シンカーでは、歯口側先端付近に設ける孔で天歯となる線材を支持する。天歯は、フックの引込みで新たな編目を形成する際に、フックに係止されていた編目をノックオーバーさせる際に重要な機能を果たす。特許文献１に開示されている固定シンカーでは、天歯となる線材の位置を変えることができる。
【０００４】
可動シンカーは、歯口に進出させたフックに給糸を受ける際などには歯口から退避するように移動する。特許文献２に開示されているような可動シンカーは、度決め部となる弧状の先端部分が揺動して歯口に進出するようにばねで付勢され、先端部分の上部の歯口中心側に設ける編糸受け部で、形成された編目を押下げながら保持することができる。
【先行技術文献】
【特許文献】
【０００５】
【特許文献１】特公平５−８５６６４号公報
【特許文献２】特公平５−８３６５７号公報
【発明の概要】
【発明が解決しようとする課題】
【０００６】
固定シンカーは、度決め部や天歯の位置が安定しているので、編目形成時の度決めやノックオーバーを高精度に行うことができ、リブ編成での度詰めや、プレーティング編成などで、綺麗な編地を得ることができる。その反面、固定シンカーでは、編目を係止しているフックを歯口に進出させて新たな編目を形成させる際に、係止されている編目がフックとともに歯口に進出してしまう付け上がりが発生する場合があり、度詰め側のループ長領域が狭い。
【０００７】
ばね付勢される可動シンカーでは、編糸受け部で適正な押下げ力を作用させながら編糸を保持することができる。編目を係止しているフックを歯口に進出させる際には、編糸受け部で編目の付け上がりを抑止するので、係止されている編目をフックから針幹側に移行させるクリアを確実に行わせることもできる。しかしながら、度決めを行う際に編糸受け部への反力を受けて可動シンカーが揺動すると、度決め位置が変動し、特に度詰めやプレーティングの編成で、編地の均一さに影響が出る場合もある。
【０００８】
本発明の目的は、編目形成時の度決めやノックオーバーを高精度に行うことができ、編目の付け上がりも抑止することが可能な、横編機のシンカー装置を提供することである。
【課題を解決するための手段】
【０００９】
本発明は、一対の針床が歯口を挟んで対向し、歯口から離れると低く傾斜している状態で、各針床に並設される針溝に収容される編針の歯口側先端に設けるフックを歯口に進退させて編目を編成する際に、編針間でシンカーループを形成する横編機のシンカー装置において、
歯口に臨む先端付近に天歯となる線材の支持孔が設けられ、歯口中心側の先端に編目編成時にシンカーループが掛かる度決め部が設けられる固定シンカーと、
固定シンカーと隣接して設けられ、編針のフックを歯口に進出させる際に、フック内に係止されている編目がフックとともに歯口に進出する付け上がりを抑える先端部を有し、先端部を天歯の歯口中心側に進出させる作用状態、および先端部を天歯の歯口中心側から退出させる不作用状態が切換え可能な可動シンカーとを含み、
可動シンカーは、編目を係止するフックを歯口に進出させて、フック内から針幹側に編目をクリアさせる際には作用状態となり、歯口に進出したフックへ給糸してフックを歯口から退出させて新たな編目を形成する際には不作用状態となるように制御され、
固定シンカーまたは可動シンカーのうちの少なくとも一方は、対向する針床から歯口に進出する編針のフックとともに付け上がろうとする編目を抑える突起部を有する、
ことを特徴とする横編機のシンカー装置である。
【００１０】
また本発明の前記固定シンカーには、前記度決め部の上部から、歯口中心側に突出するように、前記突起部が設けられている、
ことを特徴とする。
【００１１】
また本発明の前記可動シンカーには、前記作用状態で、前記先端部の上部から、歯口中心側に突出するように、前記突起部が設けられている、
ことを特徴とする。
【００１２】
また本発明の前記固定シンカーには、前記度決め部の上部から、歯口中心側に突出するように、前記突起部が設けられ、かつ
前記可動シンカーには、前記作用状態で、前記先端部の上部から、歯口中心側に突出するように、前記突起部が設けられている、
ことを特徴とする。
【００１３】
また本発明で前記可動シンカーの突起部は、前記作用状態で、前記固定シンカーの突起部よりも、天歯側に位置する、
ことを特徴とする。
【発明の効果】
【００１４】
本発明によれば、固定シンカーで天歯となる線材を支持し、度決め部も設けるので、編目形成時の度決めやノックオーバーを高精度に行うことができる。可動シンカーの作用状態で、先端部を、天歯の歯口中心側に進出させるので、編目のシンカーループの付け上がりを天歯付近で抑止することが可能となる。さらに、固定シンカーまたは可動シンカーの少なくとも一方の設ける突起部で、対向する針床から編針のフックとともに付け上がろうとする編目を抑えることができる。
【００１５】
また本発明によれば、固定シンカーに突起部を設けるので、対向する針床からの編目のニードルループの付け上がりを抑えることができる。
【００１６】
また本発明によれば、可動シンカーに突起部を設け、可動シンカーの作用状態で、対向する針床からの編目のニードルループの付け上がりを抑えることができる。
【００１７】
また本発明によれば、固定シンカーおよび可動シンカーの両方に突起部を設け、対向する針床からの編目のニードルループの付け上がりをより確実に抑えることができる。
【００１８】
また本発明によれば、可動シンカーの作用状態では、対向する針床からの編目のニードルループの付け上がりを、固定シンカーよりも早期に抑えることができる。
【図面の簡単な説明】
【００１９】
【図１】図１は、本発明の一実施例としての横編機のシンカー装置１の概略的な構成を示す簡略化した平面図および正面図である。
【図２】図２は、図１の横編機のシンカー装置１に関連する部品を示す側面図、および一部の平面図、右側面図である。
【図３】図３は、図１の横編機のシンカー装置１が設けられる針床２に関連する構成を示す側面断面図である。
【図４】図４は、図１の横編機のシンカー装置１の可動シンカー１２を制御するシンカー用カム３２を含むカム配置図である。
【図５】図５は、図１の横編機のシンカー装置１の動作状態を示す簡略化した正面断面図である。
【図６】図６は、図１の横編機のシンカー装置１の動作状態を示す簡略化した正面断面図である。
【図７】図７は、図１の横編機のシンカー装置１の動作状態を示す簡略化した正面断面である。
【発明を実施するための形態】
【００２０】
以下、図１〜図７で本発明の一実施例としての横編機のシンカー装置１の構成および動作を説明する。各図の説明では、当該図面には存在せずに先に説明する図には存在する符号を用いて説明する場合がある。また、編目の形成は、対向する針床の一方のみで行う状態を示すけれども、リブ編みなど、両方の針床を使用する場合も、本発明を同様に適用することができる。
【実施例】
【００２１】
図１は、本発明の一実施例としての横編機のシンカー装置１の主要部分について、（ａ）で平面構成を示し、（ｂ）で正面構成を示す。横編機のシンカー装置１では、一対の針床が歯口を挟んで対向する。各針床２は、歯口３側が高く、歯口３から離れると低く傾斜している状態で、歯口中心３ａに関して面対称に配置される。編針４は、各針床２に並設される針溝５に収容される。横編機のシンカー装置１は、編針４の歯口側先端に設けるフック４ａを歯口３に進退させて編目６を編成する際に、各編針４を収容する針溝５の歯口３側先端でシンカーループを形成することが基本的な機能である。編針４は、フック４ａをべら４ｂで開閉するべら針を使用する。
【００２２】
横編機のシンカー装置１は、固定シンカー１０を含む。固定シンカー１０は、歯口３に臨む先端付近に天歯１１となる線材の支持孔１０ａが設けられ、歯口中心３ａ側の先端に編目編成時にシンカーループが掛かる度決め部１０ｂが設けられる。度決め部１０ｂは、編針４のフック４ａを歯口３から退出させ、針床２に引込む方向に直交するように形成する。これによって、編目形成時の度決めを高精度に行うことができる。
【００２３】
横編機のシンカー装置１は、可動シンカー１２も含む。可動シンカー１２は、固定シンカー１０と隣接して設けられ、編針４のフック４ａを歯口３に進出させる際に、フック４ａ内に係止されている編目６のシンカーループがフック４ａとともに歯口３に進出する付け上がりを天歯１１付近で抑える先端部１２ａを有する。可動シンカー１２では、先端部１２ａを天歯１１の歯口中心３ａ側に進出させる作用状態、および先端部１２ａを天歯１１の歯口中心３ａ側から退出させる不作用状態が切換え可能である。
【００２４】
針溝５は、紙面に垂直な方向に並設され、各針溝５内に収容される編針４は、先端のフック４ａを歯口３に進退させるように針溝５内で摺動する。編目６を順次編成している途中では、紙面に垂直な方向がコース方向となり、各フック４ａで歯口３から離れるように引込まれる編糸がニードルループを形成し、各フック４ａ間で固定シンカー１０の度決め部１０ｂで歯口３に留まる編糸がシンカーループを形成する。新たに編目６を形成する際に、編目６を係止するフック４ａを歯口３に進出させると、フック４ａ内の編目６は、編針４に対して相対的に後退し、閉じているべら４ｂを開いて、針幹４ｃ側に移動してフック４ａ内からクリアされる。フック４ａ内からクリアされた編目６は、給糸を受けたフック４ａを歯口３から退出させ編糸を針床２内に引込む際に、編針４に対して相対的に前進して、針幹４ｃからフック４ａ側に移動する。編目６は、この移動の途中で、べら４ｂを閉じ、閉じたべら４ｂによってフック４ａ内への移動が阻止され、べら４ｂの外周を越えてノックオーバーされ、歯口３に編地７として垂下する。この間に、フック４ａと固定シンカー１０の度決め部１０ｂとの間に、新たな編目６が形成される。
【００２５】
固定シンカー１０には、度決め部１０ｂの上部に、歯口中心３ａ側に突出するように形成され、対向する針床２から歯口３に進出する編針４のフック４ａとともに付け上がろうとする編目６を抑える突起部１０ｃも設けられている。対向する針床２側の固定シンカー１０にも突起部１０ｃを設けるので、特に、図１（ａ）に示すように、編針４と固定シンカー１０とが歯口３を挟んで対向しているような出会いでは、付け上がりをより確実に抑えることができる。
【００２６】
可動シンカー１２は、新たに編目６を形成する前に、フック４ａに係止されている編目６をクリアさせる際には作用状態となり、歯口３に進出したフック４ａへ給糸してフック４ａを歯口３から退出させて新たな編目６を形成する糸喰いや度決めの間には不作用状態となるように制御される。ただし、後述するように、可動シンカー１２を制御するカムの構成上、実際には編針４を進退させない場合でも、可動シンカー１２の切換えは、両側の針床２で同等に行われる。
【００２７】
可動シンカー１２には、先端部１２ａの上部に、作用状態で、固定シンカー１０の突起部１０ｃよりも天歯１１側に進出した位置から歯口中心３ａ側に突出するように、対向する針床２から付け上がろうとする編目６を抑える突起部１２ｂが設けられている。固定シンカー１０には、度決め部１０ｂを設けるので、突起部１０ｃを設ける範囲には制限がある。可動シンカー１２に、固定シンカー１０の度決め部１０ｂよりも天歯１１に近い位置となるような突起部１２ｂを設けることで、対向する針床２からの付け上がりを、より早期に抑えることができる。なお、突起部１０ｃ，１２ｂは、固定シンカー１０と可動シンカー１２とのうちで、少なくとも一方に設けるだけでも、対向する針床２から付け上がる編目６を抑えることができる。
【００２８】
図２は、図１の横編機のシンカー装置１に関連する主要な部品の構成を示す。図２の（ａ）はスペーサー１３、（ｂ）は可動シンカー１２、（ｃ）はニードルプレート１４、（ｄ）は基板１５、（ｅ）は固定シンカー１０について、それぞれ示す。針床２は、基板１５に一定のピッチで設けられているニードルプレート溝１５ａに、ニードルプレート１４を挿入して形成する。ニードルプレート１４は、紙面に垂直な方向に複数枚が並設される。基板１５の表面から立設されるニードルプレート１４間は針溝５となる。
【００２９】
可動シンカー１２は、先端部１２ａおよび突起部１２ｂが設けられる部分が薄肉部１２ｃとなり、固定シンカー１０の歯口３に臨む先端部分と隣接するように使用される。可動シンカー１２には、ニードルプレート１４に設けられる円弧状の支持部１４ａで円弧の中心まわりの摺動が可能な状態で支持される摺動部１２ｄと、上方に突出するバット１２ｅも設けられている。薄肉部１２ｃは、支持部１４ａによって支持される摺動部１２ｄの摺動に従って歯口３に進退するように揺動する。この揺動は、バット１２ｅへのカムの作用で制御される。
【００３０】
ニードルプレート１４は、支持部１４ａの上方に薄肉部１４ｂを有し、可動シンカー１２をスペーサー１３で挟み込み、揺動変位が可能な状態で支持する。基板１５の先端側下部には、固定シンカー１０の一部を収容するシンカー溝１５ｂが設けられている。固定シンカー１０の基部には、保持孔１０ｄが設けられている。
【００３１】
図３は、図１の横編機のシンカー装置１が設けられる針床２に関連する構成を示す。ただし、図２のスペーサー１３の図示は省略する。各ニードルプレート１４は、基板１５に並設した状態で、紙面に垂直に貫通する線材１６で固定する。固定シンカー１０も、基端側の保持孔１０ｄに、紙面に垂直に貫通する線材１７を挿入して固定する。可動シンカー１２およびニードルプレート１４は、紙面に垂直に貫通する線材１８および帯金１９で固定する。
【００３２】
ニードルプレート１４間の針溝５では、編針４の尾端側に、ニードルジャック２０の先端が結合している。ニードルジャック２０からは、間隔をあけて二つのバット２０ａ，２０ｂが針溝５の上方に突出する。ニードルジャック２０の尾端は、針溝５の底面に当接し、先端と尾端との間は弾性変形可能な脚部となっている。ニードルジャック２０の脚部は、セレクトジャック２１の先端からの押圧を受け、セレクトジャック２１が針溝５内に沈む場合は、脚部も針溝５内に沈み、後方のバット２０ａの先端は、針溝５から突出しないようになる。セレクトジャック２１の後方には、セレクタ２２が配置され、編針４を使用するか否かを定める選針が行われる。
【００３３】
図４は、図１の横編機のシンカー装置１の可動シンカー１２を制御するシンカー用カム３２を含むカムの配置を示す。このようなカムは、図３の紙面に垂直な方向に往復移動するキャリッジに搭載され、針溝５の上方から、バット１２ｅ，２０ａ，２０ｂに作用する。編成用カム３０は、ニードルジャック２０のバット２０ａに作用する。目移し用カム３１は、ニードルジャック２０のバット２０ｂに作用する。シンカー用カム３２は、可動シンカー１２のバット１２ｅに作用する。
【００３４】
編成用カム３０は、ニードルレイジングカム３５および天山カム３６を含む。天山カム３６は、ニードルジャック２０のバット２０ａを案内して、編針４がニット編成時の動作を行うように案内する案内溝３７が設けられている。編成用カム３０は、さらに度山カム３８を含み、中心線３０ａに関して、基本的に線対称の形状を有し、往復走行するキャリッジの両走行方向で同等の作用を行わせることができる。ただし、度山カム３８は、キャリッジの走行方向に応じて、下流側の下降斜面でバット２０ａを駆動し、歯口３で編糸の給糸を受けたフック４ａを引込むので、編目６としての度目値に応じた位置に配置される。上流側の度目カム３８は、上昇位置で待機する。
【００３５】
天山カム３６の内側に設けられる受け用目移しカム３９は、目移しカム３１に含まれる。目移しカム３１には、渡し受け両用目移しカム４０およびガイドカム４１も含まれる。図に実線で示す天山カム３６と、二点鎖線で示す渡し受け両用目移しカム４０とは、一方が突出状態では他方が没入状態となるように、交互に出没するように切換えられる。
【００３６】
シンカー用カム３２は、移動カム４２を含む。移動カム４２は、キャリッジの走行方向に応じて、下流側に移動し、可動シンカー１２のバット１２ｅを作用側に駆動する。
【００３７】
図４で、シンカー用カム３２の下側に記載してあるＡ，Ｂ，Ｃ，Ｄ，Ｅ，Ｆは、可動シンカー１２の制御に関連する代表的な位置を示す。Ａ〜Ｆの各位置に対応するバット１２ｅ，２０ａ，２０ｂの位置は、各バットの符号にＡ〜Ｆを付して示す。
【００３８】
図５、図６および図７は、図４の位置Ａ〜Ｆに対応する図１の横編機のシンカー装置１の動作状態を、（ａ）〜（ｆ）でそれぞれ示す。図５（ａ）に示すように、図４の位置Ａでは、可動シンカー１２は不作用状態となって、先端部１２ａは天歯１１の歯口中心３ａ側から退避している。図５（ｂ）に示すように、図４の位置Ｂでは、移動カム４２によって可動シンカー１２が作用状態に切換えられ、先端部１２ａは天歯１１の歯口中心３ａ側に進出する。図６（ｃ）に示すように、ニードルジャック２０のバット２０ａがニードルレイジングカム３５の上昇斜面の作用を受けて、フック４ａが歯口３に進出を開始しても、先端部１２ａで編目６のシンカーループの付け上がりを抑えることができる。編目６の付け上がりが抑えられると、編目６はフック４ａに対して相対的に後退し、べら４ｂを開いてクリアされる。
【００３９】
以下、図６（ｃ）での編目６の付け上がり抑止が十分でなく、編目６の付け上がりが生じる場合を想定する。図６（ｄ）に示すように、対向する針床２側でも、固定シンカー１０の突起部１０ｃと、突起部１０ｃよりも歯口中心３ａ側に進出している可動シンカー１２の突起部１２ｂとで、編目６の付け上がりを抑えることができる。
【００４０】
図７（ｅ）に示すように、図４の位置Ｅでは、可動シンカー１２はバット１２ｅが移動カム４２の範囲を越えて、シンカー用カム３２のカム溝による案内で不作用状態に切換えられ、先端部１２ａは天歯１１の歯口中心３ａ側から退避する。この不作用状態は、糸喰いから度決めを行う間継続する。しかしながら、対向する針床２から歯口３に進出するフック４ａに編目６が付け上がるような場合は、固定シンカー１０に設ける突起部１０ｃで、付け上がりを抑えることができる。フック４ａがさらに対向する針床２側に進出すると、べら４ｂは編目６によって完全に開かれ、編目６は針幹４ｃに移行する。図７（ｆ）に示すように、図４の位置Ｆのような度決め終了後には、可動シンカー１２を作用状態に一旦戻す。キャリッジがさらに走行すると、バット１２ｅは移動カム４２の範囲を超えて、シンカー用カム３２による案内で、可動シンカー１２は不作用状態に切換えられる。
【００４１】
以上の本実施例の説明では、編目６を一方の針床２のみで形成しているけれども、両方の針床２を使用するリブ編みなども、本実施例と同様に行うことができる。度決めは固定シンカー１０の度決め部１０ｂで行い、固定シンカー１０で天歯１１を歯口３に近い位置で支持することができるので、度決めやノックオーバーのタイミングを揃え、度詰め編成やリブ編成でも、きれいな編目６を形成することができる。
【００４２】
また、編針４は、べら針について説明しているけれども、本発明は、べら針に限らず、複合針などにも同様に適用することができる。
【符号の説明】
【００４３】
１  横編機のシンカー装置
２  針床
３  歯口
４  編針
４ａ  フック
５  針溝
６  編目
１０  固定シンカー
１０ａ  支持孔
１０ｂ  度決め部
１０ｃ  突起部
１１  天歯
１２  可動シンカー
１２ａ  先端部
１２ｂ  突起部
１２ｅ  バット
３０  編成用カム
３２  シンカー用カム
４２  移動カム
【図１】
2013139644.tif 000003
【図２】
2013139644.tif 000004
【図３】
2013139644.tif 000005
【図４】
2013139644.tif 000006
【図５】
2013139644.tif 000007
【図６】
2013139644.tif 000008
【図７】
2013139644.tif 000009